【事件の表示】
　特許第２９８２０６５号「パチンコ機のグリップ装置」の請求項１ないし４に係る特許に対する特許異議の申立てについて、次のとおり決定する。
【結　論】
　訂正を認める。
　特許第２９８２０６５号の請求項１に係る特許を維持する。
【理　由】
（１）手続きの経緯
　本件特許第２９８２０６５号の出願は、平成３年６月２８日に特許出願した特願平３−１８４０４５号の一部を平成１０年５月２９日に新たな特許出願とし、平成１１年９月２４日にその発明について特許権の設定登録がなされた後、その特許について、細江裕実より特許異議の申立てがなされ、取消理由通知がなされ、その指定期間内である平成１２年１１月６日に訂正請求がなされた後、訂正拒絶理由が通知され、訂正拒絶理由通知に対してその指定期間内である平成１３年４月９日に手続補正書が提出されたものである。
（２）訂正の適否についての判断
ア．訂正の内容
　特許権者は、特許明細書を、平成１３年４月９日付け手続補正書で補正された訂正明細書のとおりに、すなわち、以下の訂正を求めるものである。
a.　特許請求の範囲の『【請求項１】　パチンコ球の飛距離の調整を行う電動式パチンコ機の打球発射操作用のグリップ装置であって、パチンコ機の前枠に止着されるグリップ主体と、このグリップ主体の前面側に回動自在に位置する回転操作体と、この回転操作体の前面側に位置すると共に前記グリップ主体に対して固定状の前カバーとを備え、前記回転操作体の外周面には当該回転操作体を任意の回動角度に保持するための指掛け部を突設し、この指掛け部を回転操作体の幅方向に延在させると共に、該延在部位の陵線を少なくとも前記前カバー側は山形状に湾曲させていることを特徴とするパチンコ機のグリップ装置。
　【請求項２】　パチンコ球の飛距離の調整を行う電動式パチンコ機の打球発射操作用のグリップ装置であって、パチンコ機の前枠に止着されるグリップ主体と、このグリップ主体の前面側に回動自在に位置する回転操作体と、この回転操作体の前面側に位置すると共に前記グリップ主体に対して固定状の前カバーとを備え、前記回転操作体の外周面には当該回転操作体を任意の回動角度に保持するための指掛け部を突設し、この指掛け部を回転操作体の幅方向に延在させ、該指掛け部には前記回転操作体の周方向に低く傾斜する湾曲面を設け、該湾曲面を前記前カバー側から前記グリップ主体側にかけて高く傾斜させていることを特徴とするパチンコ機のグリップ装置。
　【請求項３】　パチンコ球の飛距離の調整を行う電動式パチンコ機の打球発射操作用のグリップ装置であって、パチンコ機の前枠に止着されるグリップ主体と、このグリップ主体の前面側に回動自在に位置する回転操作体と、この回転操作体の前面側に位置すると共に前記グリップ主体に対して固定状の前カバーとを備え、前記回転操作体の外周面には当該回転操作体を任意の回動角度に保持するための指掛け部を突設し、この指掛け部を回転操作体の幅方向に延在させると共に、該延在部位の陵線を山形状に湾曲させ、前記指掛け部には回転操作体の周方向に低く傾斜する湾曲面を設け、該湾曲面を前記前カバー側から前記グリップ主体側にかけて高く傾斜させていることを特徴とするパチンコ機のグリップ装置。
　【請求項４】　指掛け部を回転操作体の周方向に任意の間隔をおいて複数形成したことを特徴とする請求項１ないし請求項３のいずれかに記載のパチンコ機のグリップ装置。』を、
『【請求項１】　パチンコ球の飛距離の調整を行う電動式パチンコ機の打球発射操作用のグリップ装置であって、パチンコ機の前枠に止着されるグリップ主体と、このグリップ主体の前面側に回動自在に位置する回転操作体と、この回転操作体の前面側に位置すると共に前記グリップ主体に対して固定状の前カバーとを備え、前記回転操作体の外周面には当該回転操作体を任意の回動角度に保持するための指掛け部を任意の間隔をおいて複数突設し、この指掛け部を回転操作体の幅方向に延在させると共に、該延在部位の陵線を少なくとも前記前カバー側から前記グリップ主体側へ山形状に湾曲させていることを特徴とするパチンコ機のグリップ装置。』と訂正する。
b.　明細書の【０００４】欄の『【課題を解決するための手段】本発明は上記に鑑み提案されたもので、請求項１に記載した発明は、パチンコ球の飛距離の調整を行う電動式パチンコ機の打球発射操作用のグリップ装置であって、パチンコ機の前枠に止着されるグリップ主体と、このグリップ主体の前面側に回動自在に位置する回転操作体と、この回転操作体の前面側に位置すると共に前記グリップ主体に対して固定状の前カバーとを備え、前記回転操作体の外周面には当該回転操作体を任意の回動角度に保持するための指掛け部を突設し、この指掛け部を回転操作体の幅方向に延在させると共に、該延在部位の陵線を少なくとも前記前カバー側は山形状に湾曲させていることを特徴とするパチンコ機のグリップ装置である。
　また、請求項２に記載した発明は、パチンコ球の飛距離の調整を行う電動式パチンコ機の打球発射操作用のグリップ装置であって、パチンコ機の前枠に止着されるグリップ主体と、このグリップ主体の前面側に回動自在に位置する回転操作体と、この回転操作体の前面側に位置すると共に前記グリップ主体に対して固定状の前カバーとを備え、前記回転操作体の外周面には当該回転操作体を任意の回動角度に保持するための指掛け部を突設し、この指掛け部を回転操作体の幅方向に延在させ、該指掛け部には前記回転操作体の周方向に低く傾斜する湾曲面を設け、該湾曲面を前記前カバー側から前記グリップ主体側にかけて高く傾斜させていることを特徴とするパチンコ機のグリップ装置である。
　更に、請求項３に記載した発明は、パチンコ球の飛距離の調整を行う電動式パチンコ機の打球発射操作用のグリップ装置であって、パチンコ機の前枠に止着されるグリップ主体と、このグリップ主体の前面側に回動自在に位置する回転操作体と、この回転操作体の前面側に位置すると共に前記グリップ主体に対して固定状の前カバーとを備え、前記回転操作体の外周面には当該回転操作体を任意の回動角度に保持するための指掛け部を突設し、この指掛け部を回転操作体の幅方向に延在させると共に、該延在部位の陵線を山形状に湾曲させ、前記指掛け部には回転操作体の周方向に低く傾斜する湾曲面を設け、該湾曲面を前記前カバー側から前記グリップ主体側にかけて高く傾斜させていることを特徴とするパチンコ機のグリップ装置である。
　そして、請求項４に記載した発明は、前記した請求項１ないし請求項３の何れかに記載したパチンコ機のグリップ装置の構成に加えて、指掛け部を回転操作体の周方向に任意の間隔をおいて複数形成したものである。』を
『【課題を解決するための手段】本発明は上記に鑑み提案されたもので、請求項１に記載した発明は、パチンコ球の飛距離の調整を行う電動式パチンコ機の打球発射操作用のグリップ装置であって、パチンコ機の前枠に止着されるグリップ主体と、このグリップ主体の前面側に回動自在に位置する回転操作体と、この回転操作体の前面側に位置すると共に前記グリップ主体に対して固定状の前カバーとを備え、前記回転操作体の外周面には当該回転操作体を任意の回動角度に保持するための指掛け部を任意の間隔をおいて複数突設し、この指掛け部を回転操作体の幅方向に延在させると共に、該延在部位の稜線を少なくとも前記前カバー側から前記グリップ主体側へ山形状に湾曲させていることを特徴とするパチンコ機のグリップ装置である。』と訂正する。
イ．訂正の目的の適否、新規事項の有無及び拡張・変更の存否
　上記訂正事項ａは、請求項１に記載された「前カバー側は山形状に湾曲させ」を特許請求の範囲に記載された明瞭でない記載の釈明を目的として「前カバー側から前記グリップ主体側へ山形状に湾曲さ」と訂正するとともに、特許請求の範囲の減縮を目的として、従属形式で記載されていた請求項４を請求項１に繰り上げ、請求項２〜請求項４を削除するものであって、新規事項の追加に該当せず、実質的に特許請求の範囲を拡張または変更するものでもない。
　上記訂正事項ｂは上記訂正事項ａに伴い特許請求の範囲の記載と発明の詳細な説明の記載との整合性をとるためのものであるので、明りょうでない記載の釈明に該当し、新規事項の追加に該当せず、実質的に特許請求の範囲を拡張または変更するものでもない。
ウ．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法１２６条第１項ただし書、第２項の規定に適合するので、当該訂正を認める。
（３）特許異議申立てについての判断
　ア．本件の請求項１に係る発明　
　本件の請求項１に係る発明は、訂正後の明細書の特許請求の範囲の請求項１に記載された以下のとおりのものである。特許査定時の請求項２〜４は削除された。
　「【請求項1】パチンコ球の飛距離の調整を行う電動式パチンコ機の打球発射操作用のグリップ装置であって、パチンコ機の前枠に止着されるグリップ主体と、このグリップ主体の前面側に回動自在に位置する回転操作体と、この回転操作体の前面側に位置すると共に前記グリップ主体に対して固定状の前カバーとを備え、前記回転操作体の外周面には当該回転操作体を任意の回動角度に保持するための指掛け部を任意の間隔をおいて複数突設し、この指掛け部を回転操作体の幅方向に延在させると共に、該延在部位の陵線を少なくとも前記前カバー側から前記グリップ主体側へ山形状に湾曲させていることを特徴とするパチンコ機のグリップ装置。」
イ．申立の理由の概要
異議申立人は、
甲第１号証の１：ＢＲＡＶＯ　ＥＸＣＥＥＤのカタログ：平和
甲第１号証の２：甲第１号証の１のハンドル装置の部分拡大
甲第２号証の１：日本遊技通信第７７１号の第１頁，第１０頁：発行日：平成元年１０月２５日：発行所：日本遊技通信社
甲第２号証の２：日本遊技通信第７７１号の第２頁の部分拡大
甲第３号証の１：ＰＬＡＹＧＲＡＰＨ１０月号の表裏頁と第２５頁；発行日：平成元年１０月２０日：発行所：（有）プレイグラフ社
甲第３号証の２：ＰＬＡＹＧＲＡＰＨ１０月号の第２５頁のハンドル部分の拡大
甲第４号証の１：ＹＵＧＩ−ＮＩＰＰＯＮ９月号の第５２頁〜第５５頁：発行日：平成元年９月２５日：発行所：近畿出版社
甲第４号証の２：ＹＵＧＩ−ＮＩＰＰＯＮ９月号の第５４頁の部分拡大
甲第５号証の１：娯楽産業１０月号の第２６頁〜第２８頁，第１１８頁及び第１１９頁：発行日：平成元年１０月５日：発行所：娯楽産業協会
甲第５号証の２：娯楽産業１０月号の第２７真に掲載のハンドル装置の操作をしている部分の拡大
甲第６号証：レジャーニッポン第７６９号第７面：発行日１９８９年１０月１１日：発行所：（株）レジャーニッポン新聞社
甲第７号証：グリーンベルト１０月号の第１１６頁：発行日：平成元年１０月１５日：発行所：（有）アド・サークル
甲第８号証：遊技ジャーナルＹｕｇｉＪｏｕｒｎａｌ１０月号（ＮＯ．５３５）発行日：平成元年１０月１５日：発行所：遊技ジャーナル社
甲第９号証：ザ・パチンコＮｏ．３４７の表裏頁，第２頁，第３頁，第５頁：平成元年１０月１５日号；発行所：（有）レジャー情報新聞社
甲第１０号証：特願平３−１７７２４３号（特開平４−３７１１８３号公報）
甲第１１号証：実願昭６０−１７２２２０号（実開昭６２−８２０７９号）の明細書及び図面の写し
甲第１２号証：実願昭６０−１４３０３７号（実開昭６２−５０６９０号）の明細書及び図面の写し
甲第１３号証：実願昭６２−１０９３６４号（実開昭６４−１７２７８号）の明細書及び図面の写し
甲第１４号証：実願平１−３４６４６号（実開平２−１２６６８２号）の明細書及び図面の写し
を提出して、本件の請求項１に係る発明は、甲第１３号証に記載された発明に甲第１号証〜甲第９号証に記載の発明を適用することにより、当業者が容易に発明をすることができたものであるから、特許法第２９条第２項の規定に該当し、本件の請求項１に係る発明の出願後に公開された甲第１０号証に記載された発明と同一であって、出願人、発明者が相違するものであるので特許法第２９条の２に該当し、これらにより特許を受けることができないものであり、特許法第１１３条第２号の規定により取り消すべきものである。また、本件の請求項１に係る発明は発明が不明瞭で且つ発明の詳細な説明に記載されていない内容を含む者であるので特許法第３６条の記載要件に違反しており、これらにより特許を受けることができないものであり、特許法第１１３条第４号の規定により取り消されるべきであると主張している。
ウ．引用刊行物
　異議申立人が提出した上記甲第１号証の１には、その第２頁にハンドル装置が図示されている。
　上記甲第１号証の２には、甲第１号証の１のハンドル装置を部分拡大したものが示されている。
　上記甲第２号証の１の第２頁には、ブラボーエクシードの前面写真が掲載され、そのグリップ装置は指掛け部を有している。また同第１０頁には９月５日から（株）平和が秋の新製品発表会を開催し、９月２１日からブラボーエクシードが登場したこと、名古屋支社が９月２０日に開催した新製品発表会でブラボーエクシードが登場したことが記述されている。
  上記甲第２号証の２には、ブラボーエクシードのグリップ装置を拡大したものが示されている。
  上記甲第３号証の１には、（株）平和の台枠を紹介する写真が掲載され、ハンドルがブラックであると記載されている。
  上記甲第３号証の２には、甲第３号証の１のハンドル部分を拡大したものが示されている。
  上記甲第４号証の１には、（株）平和がブラボーエクシードのＰＲにつとめている記事、全国新型展示会でブラボーエクシードを展示した記事、及びブラボーエクシードの正面写真が掲載されている。又、ブラボーエクシードのハンドル装置に指をかけている人の写真が掲載されている。
　上記甲第４号証の２には、甲第４号証の１のハンドル装置に親指を掛けている部分を拡大したものが示されている。
　上記甲第５号証の１の第２６頁〜第２８頁には、（株）平和が９月２０日に、名古屋の展示会でブラボーエクシードの出展を行ったこと、第２７頁にハンドル装置に手をかけている遊技者の写真、第１１８頁にブラボーエクシードの写真が掲載されている。
　上記甲第５号証の２には、甲第５号証の１の第２７頁のハンドル装置の操作をしている部分を拡大したものが示されている。
　上記甲第６号証の第７面には、（株）平和が秋の新製品発表会を開催し、ブラボーエクシードが展示されたこと及びその正面写真が掲載されている。
　上記甲第７号証には、ブラボーエクシードの正面写真が掲載されている。
　上記甲第８号証のには、ブラボーエクシードの正面写真、名古屋、九州展の記事が掲載されている。
　上記甲第９号証には、ブラボーエクシードの正面写真、展示会の記事が掲載されている。
　上記甲第１０号証には、
「【００１７】更に，下皿部１４の右側には、凹部２１が形成され、該凹部２１に操作ハンドル２２が固着されている。この操作ハンドル２２は、打球の発射動作を開始させると共に打球の飛距離を調節するもので、その中央に回転レバー２２ａが設けられ、該回転レバー２２ａを回転させることにより操作ハンドル２２の内部に配置されるモータスイッチ（図示しない）をＯＮさせて図示しない打球発射装置を駆動し、且つその回動量に応じた弾発力を得ることができる。なお、正確には．モータスイッチをＯＮさせただけでは、打球発射装置が駆動されるものではなく、回転レバー２２ａに遊技者の手が触れていることが必要である。これは、遊技者が遊技をしているときには、必ず遊技者自身が操作ハンドル２２を操作していることが必要とされており、その必要性を満たすために回転レバー２２ａが打球発射装置の駆動スイッチの１つであるタッチスイッチ（図示しない）のタッチ板を兼用しているためである。もちろん、上記したような必要性がない場合には、モータスイッチだけで打球発射装置が駆動されるようにしても良い。なお、前記凹部２１の上端は、前記表示レンズ部１３の下端と対面している。」（第４欄第３４行〜第５欄第４行）、「【００１８】また、操作ハンドル２２の外周には、回転レバー２２ａを回動操作しているときに、押圧することにより前記モータスイッチをＯＦＦとする単発スイッチ２２ｂが突出している。したがって、回転レバー２２ａを所望の回動位置で保持したまま単発スイッチ２２ｂを押圧することにより、打球の発射を停止することができる。なお、打球発射装置は、操作ハンドル２２に対応する前面枠１の裏面に固着されている。」（第５欄第５行〜第１２行）
と、記載されている。
　上記甲第１１号証の第１図及び第２図には、指掛け部を回転操作体の周方向に任意の間隔をおいて複数形成したパチンコ機のハンドル装置が開示されている。
　上記甲第１２号証の第１図、第３図、第４図には、指掛け部を回転操作体の周方向に任意の間隔をおいて複数形成したパチンコ機の警報表示付きハンドルが開示されている。
　上記甲第１３号証には、
「電動式パチンコ機のハンドルにおいて、パチンコ機の枠台から突出したハンドル体のハンドル握り部全体を覆うカバー体を形成し、ハンドル握り部に回動自在に設けられパチンコ玉を発射せしめる操作レバーにカバー体を固定し、操作レバーとカバー体とが一体となって握持操作されることを特徴とする電動式パチンコ機のハンドル。」（第１頁第５行〜第１１行）、
「このカバー体は、ハンドル握り部に回動自在に設けられる操作レバーに固定され、操作レバーの操作に伴なってカバ一体が一体に回動する。」（第４頁第１８行〜第２０行）、
「図に示される符号１はカバー体であり、所定枠台Ｐから突出したハンドル体２のハンドル握り部２Ａと、このハンドル握り部２Ａに回動自在に設けられた操作レバー３とを覆うものである。図示例のカバー体１は、ハンドル体２のハンドル握部２Ａがわを覆う握部カバー１Ａとハンドル軸部２Ｂがわを覆う軸部カバー１Ｂとからなる。一方、ハンドル体２は、既存のハンドル体２を示してあり、このハンドル体２は、ハンドル握部２Ａの周側面にレバー突出口２Ｃが開口され、このレバー突出口２０から操作レバー３が突出するものである。そして、握部カバー１Ａと軸部カバー１Ｂとは、操作レバー３の指掛部３Ａを囲むように嵌合し、且、この状態で操作レバー３に固定してあり、操作レバー３の回転操作と共に、カバー体１もハンドル体２の外がわを回転するように形成してある（第２図参照）。また、軸部カバー１Ｂの枠台Ｐがわ先端にテーパーを設けることで、たとえ軸部カバー１Ｂの先端と枠台Ｐとの間に異物を挟んでカバー体を固定しようとしても、当接面積が少なくて固定できないようにすることもできる。」（第５頁第４行〜第６頁第５行）、
「更に、ハンドル体２や操作レバー３の形状が変更された際には、カバー体１の形状も適宜に変更するものである。例えば、第３図及び第４図に示す如く、ハンドル体２からリング形状の操作レバー３を形成したものには、その形状に適応したカバー体１を形成するものである。この際、軸部カバー１Ｂの枠台Ｐがわに先端がハンドル軸部２Ｂに当接するように形成しても良い。」（第６頁第６行〜第１３行）
と、記載されている。
　上記甲第１４号証には、
「本考案を大別すれば、自然方式と強制方式とからなり自然方式から詳述すれば、第２図に示すハンドル１の図において、３は握持部を示し、２は始動発射ハンドルを示す。」（第４頁１４行〜第１７行）
と記載され、その第１図、第４図〜第６図に始動ハンドルと握持部を有するハンドルが示されている。
エ．対比・判断
第２９条第２項違反について
  本件の請求項１に係る発明と上記甲第１３号証記載の発明とを対比すると、甲第１３号証記載の発明の「ハンドル軸部」、「操作レバー」、「ハンドル握部」、「指掛部」は、本件の請求項１に係る発明の「グリップ主体」、「回転操作体」、「前カバー」、「指掛け部」に相当するから、両者は、「パチンコ球の飛距離の調整を行う電動式パチンコ機の打球発射操作用のグリップ装置であって、パチンコ機の前枠に止着されるグリップ主体と、このグリップ主体の前面側に回動自在に位置する回転操作体と、この回転操作体の前面側に位置すると共に前記グリップ主体に対して固定状の前カバーとを備え、前記回転操作体の外周面には当該回転操作体を任意の回動角度に保持するための指掛け部を任意の間隔をおいて複数突設し」た点で一致するが、本件の請求項１に係る発明の「指掛け部を回転操作体の幅方向に延在させると共に、該延在部位の陵線を少なくとも前記前カバー側から前記グリップ主体側へ山形状に湾曲させている」点については記載も示唆もされていない。そして、この点は上記甲第１号証の１乃至甲第９号証、甲第１１、１２、１４号証のいずれにも、記載されていない。なお、異議申立人の提出した甲第１号証の２、甲第２号証の２、甲第３号証の２、甲第４号証の２、甲第５号証の２に示された部分拡大写真を精査したが、いずれの拡大写真によってもハンドルの指掛け部の構成が明確に把握できず、前記ブラボーエクシードのハンドルの指掛け部が、本件の請求項１に係る発明のグリップ装置の指掛け部のように回転操作体の幅方向に延在され、延在部位の陵線を少なくとも前カバー側からグリップ主体側へ山形状に湾曲されたものであるか不明である。そして、この点により、本件の請求項１に係る発明は、「グリップ装置に手を載せた際に、指が自然に回転操作体の指掛け部及びストップボタンに掛かるようになると共に、手のひら全体でグリップ装置を包むようになり、しかも手首が極端に屈曲することがなく、長時間遊技しても疲れることがない。即ち、山形状に突出する指掛け部の陵線部分が指の股に係合すると共に、前カバーから回転操作体にかけて手のひらが密接して、指先と指掛け部との接触面積が増大するので、回転操作体から受ける単位面積当りの押圧力を減少させ、しかも指先の自由度を損なうことなく、長時間に渡る遊技時に生じる疲労を最小限に抑えることができるので、グリップ装置の操作に起因した遊技意欲の減退を抑止することができる」という明細書記載の格別な効果を奏するものと認められる。
　したがって、本件の請求項１に係る発明は上記甲第１号証の１〜甲第９号証及び甲第１１号証〜甲第１４号証に記載された発明に基づいて当業者が容易に発明をすることができたものではない。
  第２９条の２違反について
  本件の請求項１に係る発明と上記甲第１０号証記載の発明とを対比すると、甲第１０号証記載の発明の「操作ハンドル」は、本件の請求項１に係る発明のグリップ装置のごとくパチンコ機の前枠に止着されるグリップ主体と、このグリップ主体の前面側に回動自在に位置する回転操作体と、この回転操作体の前面側に位置すると共に前記グリップ主体に対して固定状の前カバーとを備えたものとは認められず、したがって、本件の請求項１に係る発明の指掛け部に相当する回転レバーが、回転操作体の外周面に突設されたものとも、回転操作体の幅方向に延在させたものであるとも言えない。
　したがって、本件の請求項１に係る発明は、甲第１号証の１〜甲第９号証及び甲第１１号証〜甲第１４号証に記載の技術事項を考慮しても、甲第１０号証に記載された発明と同一であるとすることはできない。
　第３６条の規定違反について
　異議申立人が不明瞭であると指摘する、訂正前の請求項１に記載された「延在部位の陵線を少なくとも前記前カバー側は山形状に湾曲させている」は「延在部位の陵線を少なくとも前記前カバー側から前記グリップ主体側へ山形状に湾曲させている」と訂正され、稜線がどのような形状に湾曲しているのか明確になった。そして、上記の点は本件当初明細書の第５図に示されている。同じく異議申立人が不明瞭であると指摘する、訂正前の請求項２、３に記載されていた「周方向に低く傾斜する湾曲面」、「高く傾斜」は削除されたので、異議申立人が主張する明細書に関する記載の不備は解消した。
　したがって、本件の請求項１に係る発明についての特許は、特許法第３６条第４項又は第５項に規定する要件を満たさない特許出願に対しなされたものであるとすることができない。
オ．むすび
　以上のとおりであるから、特許異議申立の理由及び証拠によっては、本件の請求項１に係る発明についての特許を取り消すことはできない。
　また、他に本件の請求項１に係る発明についての特許を取り消すべき理由を発見しない。
【異議決定日】
平成１３年５月７日（２００１．５．７）
【訂正の要旨】
訂正事項
　ａ．　特許請求の範囲の『【請求項１】　パチンコ球の飛距離の調整を行う電動式パチンコ機の打球発射操作用のグリップ装置であって、パチンコ機の前枠に止着されるグリップ主体と、このグリップ主体の前面側に回動自在に位置する回転操作体と、この回転操作体の前面側に位置すると共に前記グリップ主体に対して固定状の前カバーとを備え、前記回転操作体の外周面には当該回転操作体を任意の回動角度に保持するための指掛け部を突設し、この指掛け部を回転操作体の幅方向に延在させると共に、該延在部位の陵線を少なくとも前記前カバー側は山形状に湾曲させていることを特徴とするパチンコ機のグリップ装置。
　【請求項２】　パチンコ球の飛距離の調整を行う電動式パチンコ機の打球発射操作用のグリップ装置であって、パチンコ機の前枠に止着されるグリップ主体と、このグリップ主体の前面側に回動自在に位置する回転操作体と、この回転操作体の前面側に位置すると共に前記グリップ主体に対して固定状の前カバーとを備え、前記回転操作体の外周面には当該回転操作体を任意の回動角度に保持するための指掛け部を突設し、この指掛け部を回転操作体の幅方向に延在させ、該指掛け部には前記回転操作体の周方向に低く傾斜する湾曲面を設け、該湾曲面を前記前カバー側から前記グリップ主体側にかけて高く傾斜させていることを特徴とするパチンコ機のグリップ装置。
　【請求項３】　パチンコ球の飛距離の調整を行う電動式パチンコ機の打球発射操作用のグリップ装置であって、パチンコ機の前枠に止着されるグリップ主体と、このグリップ主体の前面側に回動自在に位置する回転操作体と、この回転操作体の前面側に位置すると共に前記グリップ主体に対して固定状の前カバーとを備え、前記回転操作体の外周面には当該回転操作体を任意の回動角度に保持するための指掛け部を突設し、この指掛け部を回転操作体の幅方向に延在させると共に、該延在部位の陵線を山形状に湾曲させ、前記指掛け部には回転操作体の周方向に低く傾斜する湾曲面を設け、該湾曲面を前記前カバー側から前記グリップ主体側にかけて高く傾斜させていることを特徴とするパチンコ機のグリップ装置。
　【請求項４】　指掛け部を回転操作体の周方向に任意の間隔をおいて複数形成したことを特徴とする請求項１ないし請求項３のいずれかに記載のパチンコ機のグリップ装置。』を、
『【請求項１】　パチンコ球の飛距離の調整を行う電動式パチンコ機の打球発射操作用のグリップ装置であって、パチンコ機の前枠に止着されるグリップ主体と、このグリップ主体の前面側に回動自在に位置する回転操作体と、この回転操作体の前面側に位置すると共に前記グリップ主体に対して固定状の前カバーとを備え、前記回転操作体の外周面には当該回転操作体を任意の回動角度に保持するための指掛け部を任意の間隔をおいて複数突設し、この指掛け部を回転操作体の幅方向に延在させると共に、該延在部位の陵線を少なくとも前記前カバー側から前記グリップ主体側へ山形状に湾曲させていることを特徴とするパチンコ機のグリップ装置。』と訂正する。
ｂ．　明細書の【０００４】欄の『【課題を解決するための手段】
　本発明は上記に鑑み提案されたもので、請求項１に記載した発明は、パチンコ球の飛距離の調整を行う電動式パチンコ機の打球発射操作用のグリップ装置であって、パチンコ機の前枠に止着されるグリップ主体と、このグリップ主体の前面側に回動自在に位置する回転操作体と、この回転操作体の前面側に位置すると共に前記グリップ主体に対して固定状の前カバーとを備え、前記回転操作体の外周面には当該回転操作体を任意の回動角度に保持するための指掛け部を突設し、この指掛け部を回転操作体の幅方向に延在させると共に、該延在部位の陵線を少なくとも前記前カバー側は山形状に湾曲させていることを特徴とするパチンコ機のグリップ装置である。
　また、請求項２に記載した発明は、パチンコ球の飛距離の調整を行う電動式パチンコ機の打球発射操作用のグリップ装置であって、パチンコ機の前枠に止着されるグリップ主体と、このグリップ主体の前面側に回動自在に位置する回転操作体と、この回転操作体の前面側に位置すると共に前記グリップ主体に対して固定状の前カバーとを備え、前記回転操作体の外周面には当該回転操作体を任意の回動角度に保持するための指掛け部を突設し、この指掛け部を回転操作体の幅方向に延在させ、該指掛け部には前記回転操作体の周方向に低く傾斜する湾曲面を設け、該湾曲面を前記前カバー側から前記グリップ主体側にかけて高く傾斜させていることを特徴とするパチンコ機のグリップ装置である。
　更に、請求項３に記載した発明は、パチンコ球の飛距離の調整を行う電動式パチンコ機の打球発射操作用のグリップ装置であって、パチンコ機の前枠に止着されるグリップ主体と、このグリップ主体の前面側に回動自在に位置する回転操作体と、この回転操作体の前面側に位置すると共に前記グリップ主体に対して固定状の前カバーとを備え、前記回転操作体の外周面には当該回転操作体を任意の回動角度に保持するための指掛け部を突設し、この指掛け部を回転操作体の幅方向に延在させると共に、該延在部位の陵線を山形状に湾曲させ、前記指掛け部には回転操作体の周方向に低く傾斜する湾曲面を設け、該湾曲面を前記前カバー側から前記グリップ主体側にかけて高く傾斜させていることを特徴とするパチンコ機のグリップ装置である。
　そして、請求項４に記載した発明は、前記した請求項１ないし請求項３の何れかに記載したパチンコ機のグリップ装置の構成に加えて、指掛け部を回転操作体の周方向に任意の間隔をおいて複数形成したものである。』を
『本発明は上記に鑑み提案されたもので、請求項１に記載した発明は、パチンコ球の飛距離の調整を行う電動式パチンコ機の打球発射操作用のグリップ装置であって、パチンコ機の前枠に止着されるグリップ主体と、このグリップ主体の前面側に回動自在に位置する回転操作体と、この回転操作体の前面側に位置すると共に前記グリップ主体に対して固定状の前カバーとを備え、前記回転操作体の外周面には当該回転操作体を任意の回動角度に保持するための指掛け部を任意の間隔をおいて複数突設し、この指掛け部を回転操作体の幅方向に延在させると共に、該延在部位の稜線を少なくとも前記前カバー側から前記グリップ主体側へ山形状に湾曲させていることを特徴とするパチンコ機のグリップ装置である。』と訂正する。
（５４）【発明の名称】
パチンコ機のグリップ装置
（５７）【特許請求の範囲】
　【請求項１】　パチンコ球の飛距離の調整を行う電動式パチンコ機の打球発射操作用のグリップ装置であって、
　パチンコ機の前枠に止着されるグリップ主体と、このグリップ主体の前面側に回動自在に位置する回転操作体と、この回転操作体の前面側に位置すると共に前記グリップ主体に対して固定状の前カバーとを備え、
　前記回転操作体の外周面には当該回転操作体を任意の回動角度に保持するための指掛け部を
任意の間隔を置いて複数
から前記グッリプ主体側へ
【発明の詳細な説明】
　【０００１】
　【発明の属する技術分野】
　この発明は、パチンコ球に打撃力を与える発射杵を電気的駆動源により駆動するようにしたパチンコ機のグリップ装置に関するものである。
　【０００２】
　【従来の技術】
　周知のように、パチンコ機においてパチンコ球に打撃力を与える発射杵の駆動源としてソレノイドやモータ等の電気的駆動源を用いた打球発射装置は種々開発されており、この種の打球発射装置における飛距離の調整方法として、駆動源に供給する電力を制御して行うものがある。そして、上記電力の制御には可変抵抗器が用いられ、該可変抵抗器の抵抗値をパチンコ機の前面側に設けたダイヤルやレバーの操作によって変化させている。
　【０００３】
　【発明が解決しようとする課題】
　可変抵抗器により飛距離の調整を行うパチンコ機は、構造が簡単であるために有効なものであるが、反面で構造が簡単であるがため、遊技者にいたずらされ易いなど、不都合な点も多々ある。例えば、パチンコ機の前面に設けた打球発射操作用グリップ装置のケース内に、可変抵抗器を配設し、該可変抵抗器の回動軸に装着した操作片をケースの外部に臨ませると、操作片とケースとの間にある程度の隙間が生じることが避けられないので、この隙間から針金等の異物を挿入していたずらをされたり、飛距離を固定するためにコイン等を挟み込むことがある。すると、これらの負荷が可変抵抗器の回動軸に直接作用することになり、可変抵抗器が接触不良を起こして飛距離が安定しなくなったり、使い物にならなくなることがある。
　また、グリップ装置は、これを手がかりとして前枠を開放したり、或は持ち上げたりするので、丈夫でなければならない。
　一方、グリップ装置は、飛距離の調整が簡単且つ確実であって、長時間同じ姿勢で遊技を継続しても疲れないものでなければならない。
　【０００４】
　【課題を解決するための手段】
　本発明は上記に鑑み提案されたもので、請求項１に記載した発明は、パチンコ球の飛距離の調整を行う電動式パチンコ機の打球発射操作用のグリップ装置であって、パチンコ機の前枠に止着されるグリップ主体と、このグリップ主体の前面側に回動自在に位置する回転操作体とこの回転操作体の前面側に位置すると共に前記グリップ主体に対して固定状の前カバーとを備え、前記回転操作体の外周面には当該回転操作体を任意の回動角度に保持するための指掛け部を
任意の間隔をおいて複数
から前記グリップ主体側へ
　【０００５】
　【発明の実施の形態】
　以下、本発明を図面の実施の形態について説明すると、図１はパチンコ機１の正面図であって、窓部を有した額縁状前枠２の一側を外枠３に開閉可能に蝶着し、上記窓部には金枠４を設けて、該金枠４の上方部分にはガラスを装着したガラス枠５を開閉可能に軸着し、下方部分には上皿６を設けた上皿セット７を設ける。また、前枠２の下方部分には下皿８を設けた下皿セット９を設ける。そして、ガイドレール１０で囲まれる遊技部１１に、特別図柄表示装置１２や、この特別図柄表示装置１２の変動表示を開始する始動口１３及び当該始動口として機能する普通電動役物１４、また大入賞口１５を有する変動入賞装置１６、その他各種の入賞口１７…、風車１８…、或は各種の表示灯１９…等を配設し、また最下位置にアウト口２０を配設した遊技盤２１を、上記窓部の後方からこの窓部を塞ぐように臨ませる。また、上記下皿セット９の前面側には遊技部１１に打ち込む打球の飛距離を調整するための打球発射操作用のグリップ装置２２が設けてある。
　【０００６】
　上記打球発射操作用のグリップ装置２２の概略は、全体としてほゞ半球形となるように三つの部材からなり、前枠２の下方部分の前面側に取り付けるグリップ主体２３と、該グリップ主体２３の前面側に取着する回転操作体２４と、該回転操作体２４の前面側に取着する前カバー２５とからなる。
　【０００７】
　上記グリップ主体２３は、ほゞ円形の底板部２６の周囲に立上り縁部２７を延設した皿状で、該底板部２６の後方には筒状の支持部２８を偏心位置に延設する。この支持部２８の内側には上記底板部２６のほゞ中心に位置するように固定部２９を設け、該固定部２９は後端に雌ネジ部３０を有すると共に、回転操作体２４の回動支軸となる金属製の支軸部材３１をインサート成型してなる。また、上記支持部２８の内部には、底板部２６の表面から後方へ向けて突出するリブ３２を隆設すると共に、一部に配線用の通孔３３を開設する。このリブ３２は図示の実施の形態によれば、やや下方へ偏心した位置にほゞＴ字状に配置してある。また、上記立上り縁部２７の外面には適宜間隔且つ適宜大きさの指掛け凹部（図示せず）を設けてある。
　【０００８】
　一方、グリップ主体２３の前面側においては、上記立上り縁部２７の端面に係合縁２７ａを形成し、適宜位置に、止着孔３４´を有する柱状台座３４や可変抵抗器３５の取付ボス、後述するストップスイッチ３６となるマイクロスイッチの取付枠３７、操作ボタン３８の支軸３９等を一体成型により設ける。上記飛距離調整用の可変抵抗器３５は、金属製の取付基板４０を介して取付ビス４１により底板部２６の取付ボスに固定する。尚、可変抵抗器３５の取付基板４０に対する止着は、後述する回動軸４２の軸受筒部４３にナット４４を螺着して可変抵抗器本体とナット４４との間に取付基板４０を挟着することにより行われ、この際、取付基板４０に設けた小孔４０ａに可変抵抗器本体に設けた突起３５ａを嵌合させて位置決めを行っている。
　【０００９】
　そして、上記可変抵抗器３５の回動軸４２に従動ギヤ４５を嵌装し、この従動ギヤ４５に後述する主動ギヤ４６を噛合させる。上記従動ギヤ４５は、大円部４５ａと小円部４５ｂとが連続するほゞ「８」状部材であって、大円部４５ａの外周面の一部に歯部を刻設してなる。また、小円部４５ｂにはストッパピン４７を植設し、取付基板４０から立上げたストッパ片４８に係止可能とする。そして、上記回動軸４２にはバネ４９を巻装し、このバネ４９の一端を取付基板４０の係止孔４０ｂに挿入すると共に、他端を従動ギヤ４５のくびれ部分４５ｃに係止させて、可変抵抗器３５の回動軸４２を飛距離が小さくなる方向へ付勢する。尚、上記回動軸４２及びギヤ４６の軸孔は回り止めのためにＤ字状に形成してあり、回動軸４２の前端部には止め輪５０を嵌着して従動ギヤ４５の抜けを防止する。
　【００１０】
　グリップ主体２３の立上り縁部２７には欠截部５１を設け、該欠截部５１から打球の発射を停止するストップスイッチ３６の操作ボタン３８を外部操作可能に臨ませる。即ち、この操作ボタン３８は、一端を支軸３９に遊嵌すると共に、他端の側面３８ａをストップスイッチ３６の作動片５２に臨ませ、他端に延設した操作部３８ｂを上記欠截部５１から突出させるのである。
　【００１１】
　上記のようなグリップ主体２３の前面側に取着する回転操作体２４は、円盤状の基板部５３の周縁に前端側が若干縮径する周壁部５４を延設し、この周壁部５４に複数の指掛け部５５…を突設した部材であって、表面には導電性処理が施してある。上記指掛け部５５は、図示の実施の形態によれば、非対称に３箇所に設けてあり、スクリューのように一方の斜面が他方の斜面に比べて鋭角に形成されると共に、各指掛け部５５の稜線が螺旋を描くように傾斜状に配置されている。また、例えば図２または図６（Ａ）に示すように、正面から見て回転操作体の左側に位置し、右手で操作する場合に親指或は人指し指を掛ける第１指掛け部５５ａが大きく、中央に位置し、中指或は薬指を掛ける第２指掛け部５５ｂが中くらいの大きさで、左側に位置し、小指を掛ける第３指掛け部５５ｃが第２指掛け部５５ｂより若干小さく形成してある。更に、各指掛け部５５の斜面は指が掛かり易くなると共に、他の指の邪魔にならないように工夫された形状になっている。上記周壁部５４のグリップ主体２３側の端縁には、グリップ主体２３の係合縁２７ａに嵌合可能な係止縁５４ａを設けると共に前カバー２５側の端縁には係合段部５４ｂを設ける。
　【００１２】
　一方、回転操作体２４の内部に設けた基板部５３の中央には導電性を有する例えば金属製の軸受部材５６を止着すると共に、上記従動ギヤ４５に噛合する主動ギヤ４６を止着する。上記軸受部材５６は前記したグリップ主体２３に設けた支軸部材３１を挿通可能な軸孔５６ａを有するスリーブ５６ｂとフランジ５６ｃとからなる。尚、図示の実施の形態によれば、軸受部材５６のフランジ５６ｃと主動ギヤ４６とで基板部５３を挟み込み、主動ギヤ４６に通したビス５７を軸受部材５６のフランジ５６ｃに螺着している。
　【００１３】
　また、回転操作体２４の基板部５３には外周縁に沿って円弧状の長孔５８を複数、例えば３箇所に開設し、これらの長孔５８を通して後述する前カバー２５の各支柱５９を前記したグリップ主体２３の各柱状台座３４に夫々取り付け可能とする。尚、上記長孔５８と支柱５９とで当該回転操作体２４の回動範囲を規制し、回動時に可変抵抗器３５に無理な回転負荷が加わらないようにすることもできる。
　【００１４】
　そして、上記のような回転操作体２４の前面側に取着する前カバー２５は、山笠状に膨出させてなり、外周縁には周壁部５４の係合段部５４ｂに嵌合可能な係止段部２５ｂが設けてある。尚、図示の実施の形態においては、外周面の一部に装飾部材６０を添設して全体として山笠状に形成してある。
　【００１５】
　上記のような各部材を組立てグリップ装置２２を構成するには、まず、グリップ主体２３の支軸部材３１に回転操作体２４の軸受部材５６を挿通すると共に、従動ギヤ４５と主動ギヤ４６とを噛合させる。この噛合状態は基板部５３に開設した透孔６１を通して確認することができる。従動ギヤ４５は図３に示すように主動ギヤ４６の右横に位置するようにした方が良い。これは前述したようにグリップ装置２２を上方へ持ち上げるようにして前枠２を開放しても、可変抵抗器３５に無理な力が作用しないようにするためである。そして、前カバー２５の各支柱５９を基板部５３の各長孔５８に通し、グリップ主体２３の裏面側からビス６２を各支柱５９にネジ込んで三者を一体化する。このとき、グリップ主体２３の係合縁２７ａと回転操作体２４の係止縁５４ａとが係合すると共に、回転操作体２４の係合段部５４ｂと前カバー２５の係止段部２５ｂとが係合し、回転操作体２４がグリップ主体２３及び前カバー２５に対して回動自在となる。
　【００１６】
　一方、上記のようにして組立の終了したグリップ装置２２を前枠２に取り付けるには、前枠２の前面側に予めベース板６３を添設し、このベース板６３にはグリップ主体２３の支持部２８内に嵌入可能な嵌入部６４を突設する。この嵌入部６４には、支持部２８の固定部２９を避けるように形成した挿通部６５を切り欠くと共に、側周面の適宜位置に突出片６６を形成して支持部２８との嵌合の精度を上げている。また、上記嵌入部６４の前端面には、支持部２８内に設けたリブ３２の間に嵌入するストッパー部材６７を延設し、このストッパー部材６７の上面及び側面を支持部２８内のリブ３２に当接させることにより、当該グリップ装置２２の回り止め兼位置決めを行う。そして、前枠２に開設した貫通孔６８及びベース板６３に開設した止着孔６３´に固定ビス６９を背面側から通して、グリップ主体２３の固定部２９に設けた支軸部材３１の雌ネジ部３０に螺着する。尚、可変抵抗器３５のリード線７０，７０やストップスイッチ３６のリード線７１ａ，７１ｂはグリップ主体２３に設けた通孔３３から前枠２の背面側へ引きだして適宜接続する。また、支軸部材３１に固定ビス６９を螺着する際にタッチ回路の配線を接続する。尚、この実施の形態ではストップスイッチ３６の一方のリード線７１ｂを支軸部材３１に導通させてタッチ回路を形成している。
　【００１７】
　このようにしてグリップ装置２２を前枠２に取り付けると、前枠２の前面からは固定ビス６９や他のビス６２を外すことが不可能で、遊技者が不正を働くことができない。しかも、各部材の間に隙間が生じないので、針金等の挿入行為も不可能であり、不正遊技に対する対策も万全である。
　【００１８】
　上記のように構成したグリップ装置２２により打球を発射したり、飛距離を調整するには以下のように操作すればよい。
　【００１９】
　即ち、遊技者がグリップ装置２２に触れていない状態では、タッチセンサが作動していないので、打球発射装置が停止している。また、回転操作体２４が可変抵抗器３５の回動軸４２に巻装したバネ４９により付勢され、ストッパピン４７とストッパ片４８とが係止し、回転操作体２４の内側縁に突設した押圧部７２が操作ボタン３８のカム部３８ｃに作用して、操作ボタン３８を回動させ、当該操作ボタン３８がストップスイッチ３６の作動片５２を押し込んで、ストップスイッチ３６をオフして打球の発射を停止している。尚、遊技中に、このストップボタンを遊技者が押し込むと打球の発射を任意に停止させることができる。
　【００２０】
　遊技者が回転操作体２４に触れると、回転操作体２４と支軸部材３１とは軸受部材５６を介して導通状態となっているので、支軸部材３１に接続したタッチセンサが作動して打球の発射が可能になる。そして、遊技者が指掛け部５５に指を掛けて回転操作体２４を回動させると、回転操作体２４が所定の範囲で回動自在であるので、回転操作体２４の回転に伴って可変抵抗器３５の抵抗値が変化し、飛距離の調整が可能となる。
　【００２１】
　上記のような構成のグリップ装置２２によれば、当該グリップ装置２２に手を載せた際に、手のひら全体でグリップ装置２２を包むようになり、このとき指が自然に指掛け部５５…に掛止可能となると共に操作ボタン３８に掛かるようになる。しかも、手首が極端に屈曲することがない。従って、飛距離の調整及び打球発射のタイミングを容易に調整することができるばかりではなく、長時間遊技しても疲れることがない。
　【００２２】
　以上本発明を図面の実施の形態について説明したが、本発明は上記した実施の形態に限定されるものではなく、特許請求の範囲に記載した構成を変更しない限り適宜に実施できる。
　【００２３】
　【発明の効果】
　以上要するに本発明によれば、グリップ装置に手を載せた際に、指が自然に回転操作体の指掛け部及びストップボタンに掛かるようになると共に、手のひら全体でグリップ装置を包むようになり、しかも手首が極端に屈曲することがなく、長時間遊技しても疲れることがない。即ち、山形状に突出する指掛け部の稜線部分が指の股に係合すると共に、前カバーから回転操作体にかけて手のひらが密接して、指先と指掛け部との接触面積が増大するので、回転操作体から受ける単位面積当りの押圧力を減少させ、しかも指先の自由度を損なうことなく、長時間に渡る遊技時に生じる疲労を最小限に抑えることができるので、グリップ装置の操作に起因した遊技意欲の減退を抑止することができる。
【図面の簡単な説明】
　【図１】
　パチンコ機の正面図である。
　【図２】
　グリップ装置の正面図である。
　【図３】
　回転操作体を外した状態のグリップ装置の正面図である。
　【図４】
　図３のＡ−Ａ線断面図である。
　【図５】
　図３のＢ−Ｂ線断面図である。
　【図６】
　回転操作体を示し、（Ａ）は正面図、（Ｂ）は背面図である。
　【図７】
　グリップ装置の取付部を示し、（Ａ）は正面図、（Ｂ）は斜視図である。
　【符号の説明】
　　１　パチンコ機
　２２　グリップ装置
　２３　グリップ主体
　２４　回転操作体
　２６　底板部
　２８　支持部
　３１　支軸部材
　３５　可変抵抗器
　４２　回動軸
　４５　従動ギヤ
　４６　主動ギヤ
　５５　指掛け部